(57)【要約】【課題】室内側に露出し、係止によって固定される化粧部材の取り付け作業性を良好にしながらも、不意に大きな外力が加わった場合でも化粧部材を外れづらくすることができる空気調和機を提供すること。【解決手段】空気調和機は、化粧部材の裏面側から上方に突出する係止部を有する化粧部材と、化粧部材の係止部が係止される開口部を有する被取付部材と、を備えている。係止部は、上方側の先端部に、外方に向かって膨出する複数の膨出部を有すると共に、複数の膨出部同士の離間距離が小さい小離間状態と、複数の膨出部同士の離間距離が小離間状態よりも大きい大離間状態とを取り得るよう構成され、大離間状態を維持する離間距離維持部材を設けた。【選択図】図７
2018031555.tif 000002
【特許請求の範囲】
【請求項１】
天井に設置される空気調和機において、
空気調和機本体と、
室内側に露出する化粧部材であって、前記化粧部材の裏面側から上方に突出する係止部を有する化粧部材と、
前記天井に取り付けられると共に前記化粧部材が係止固定される被取付部材であって、前記化粧部材の前記係止部が係止される開口部を有する被取付部材と、
を備え、
前記係止部は、上方側の先端部に、外方に向かって膨出する複数の膨出部を有すると共に、前記複数の膨出部同士の離間距離が小さい小離間状態と、前記複数の膨出部同士の離間距離が前記小離間状態よりも大きい大離間状態とを取り得るよう構成され、
前記大離間状態を維持する離間距離維持部材を設けたことを特徴とする空気調和機。
【請求項２】
前記離間距離維持部材は、前記開口部に係止されている前記複数の膨出部の離間距離が変わらないよう前記複数の膨出部を連結する連結具であることを特徴とする請求項１記載の空気調和機。
【請求項３】
前記連結具は、前記複数の膨出部のうち、いずれかの膨出部と一体に成形されており、
前記連結具は、前記複数の膨出部を連結する第１の状態と、前記複数の膨出部を連結していない第２の状態とを選択可能に可動する構成であることを特徴とする請求項２記載の空気調和機。
【請求項４】
前記係止部は、無負荷状態では前記小離間状態となるよう構成されていることを特徴とする請求項１〜３のいずれか１つに記載の空気調和機。
【請求項５】
前記天井および前記被取付部材は、前記膨出部および前記化粧部材の周縁部によって挟持されるよう構成され、
前記係止部は、前記化粧部材の前記周縁部よりも内方側かつ前記周縁部寄りに設けられ、
前記複数の膨出部は、前記化粧部材の外周方向に沿って相対するよう設けられ、
前記係止部は、前記膨出部と前記化粧部材の裏面とを繋ぐ脚部を有し、
前記膨出部の下面は、前記化粧部材の外方側よりも内方側の方が下方に位置することを特徴とする請求項１〜４のいずれか１つに記載の空気調和機。
【発明の詳細な説明】
【技術分野】
【０００１】
本発明は、空気調和機に関する。
【背景技術】
【０００２】
室内に露出する部材を係合によって他の部材に取り付けている空気調和機が知られている。
【０００３】
特許文献１には、室内側に露出する吸込口構造体の裏面から突出した弾性部材を、化粧パネルに設けられた係合用開口部である弾性部材係合穴に係合させることにより、吸込口構造体を化粧パネルに固定している。
【先行技術文献】
【特許文献】
【０００４】
【特許文献１】特開２０００−１０４９４４号公報
【発明の概要】
【発明が解決しようとする課題】
【０００５】
特許文献１の吸込口構造体は、リールやワイヤー等の吊り下げ構造体を使用しているが、施工の手間を軽減させたりコストダウンするためには、そのような吊り下げ構造体を使用せず、係止のみによって吸込口構造体を固定することが好ましい。
【０００６】
しかし、その場合、弾性部材の係合用開口部へのかかり代（引っ掛かりの深さ）が小さいと、不意に吸込口構造体に大きな外力が加わった際に、化粧パネルから吸込口構造体が外れやすくなってしまう。それを防止するためには、弾性部材の係合用開口部へのかかり代を大きくすれば良いが、かかり代が大きいと、弾性部材を係合用開口部へ挿入する際に挿入しづらくなってしまい、吸込口構造体の取り付け作業性が大きく低下してしまうおそれがある。
【０００７】
本発明は、室内側に露出し、係止によって固定される化粧部材の取り付け作業性を良好にしながらも、不意に大きな外力が加わった場合でも化粧部材を外れづらくすることができる空気調和機を提供することを目的とする。
【課題を解決するための手段】
【０００８】
第１の発明の空気調和機は、天井に設置される空気調和機において、空気調和機本体と、室内側に露出する化粧部材であって、前記化粧部材の裏面側から上方に突出する係止部を有する化粧部材と、前記天井に取り付けられると共に前記化粧部材が係止固定される被取付部材であって、前記化粧部材の前記係止部が係止される開口部を有する被取付部材と、を備え、前記係止部は、上方側の先端部に、外方に向かって膨出する複数の膨出部を有すると共に、前記複数の膨出部同士の離間距離が小さい小離間状態と、前記複数の膨出部同士の離間距離が前記小離間状態よりも大きい大離間状態とを取り得るよう構成され、前記大離間状態を維持する離間距離維持部材を設けたことを特徴としている。  
第１の発明によれば、複数の膨出部を小離間状態にしておくことにより、膨出部を開口部に挿入しやすくできる。さらに、膨出部を開口部に挿入した後には、複数の膨出部を小離間状態から大離間状態へ変化させ、離間距離維持部材によって大離間状態を維持させることで、膨出部の開口部へのかかり代を大きくすることができる。したがって、化粧部材を被取付部材に取り付ける際の作業性を良好にしながらも、取り付けた後は化粧部材を外れづらくすることができる。  
第２の発明は、第１の発明において、前記離間距離維持部材は、前記開口部に係止されている前記複数の膨出部の離間距離が変わらないよう前記複数の膨出部を連結する連結具であることを特徴とする。  
第２の発明によれば、複数の膨出部を連結具によって連結するという簡単な構成によって、開口部への係止状態で複数の膨出部の離間距離が狭まることによる膨出部の開口部からの抜けを防ぐことができる。  
第３の発明は、第２の発明において、前記連結具は、前記複数の膨出部のうち、いずれかの膨出部と一体に成形されており、前記連結具は、前記複数の膨出部を連結する第１の状態と、前記複数の膨出部を連結していない第２の状態とを選択可能に可動する構成であることを特徴とする。  
第３の発明によれば、連結具は膨出部と一体に成形されているため、複数の膨出部を連結する際に、連結具が落下したり、連結具を紛失するおそれがないため、作業性を向上させることができる。  
第４の発明は、第１〜第３の発明のいずれか１つにおいて、前記係止部は、無負荷状態では前記小離間状態となるよう構成されていることを特徴とする。  
第４の発明によれば、無負荷状態では複数の膨出部は小離間状態となるため、膨出部を開口部に挿入する際に、大離間状態から小離間状態へ変化させる手間がない。これは、化粧部材を被取付部材に取り付ける際の作業性をより向上させる。  
第５の発明は、第１〜第４の発明のいずれか１つにおいて、前記天井および前記被取付部材は、前記膨出部および前記化粧部材の周縁部によって挟持されるよう構成され、前記係止部は、前記化粧部材の前記周縁部よりも内方側かつ前記周縁部寄りに設けられ、前記複数の膨出部は、前記化粧部材の外周方向に沿って相対するよう設けられ、前記係止部は、前記膨出部と前記化粧部材の裏面とを繋ぐ脚部を有し、前記膨出部の下面は、前記化粧部材の外方側よりも内方側の方が下方に位置することを特徴とする。  
第５の発明によれば、膨出部の下面における、化粧部材の周縁部により近い外方側部分への応力集中を緩和し、脚部にかかる応力を均等化する。
【発明の効果】
【０００９】
本発明によれば、化粧部材の係止による取付構造によってコストダウンや施工の手間軽減を実現しつつ、化粧部材の取り付け容易さと、取り付けた後の外れにくさとを両立できる。
【図面の簡単な説明】
【００１０】
【図１】実施形態の空気調和機を設置した浴室の斜視図。
【図２】図１に示す空気調和機の表側の斜視図。
【図３】図１に示す空気調和機の裏側の斜視図。
【図４】実施形態の空気調和機の化粧部材および被取付部材の分解斜視図。
【図５】実施形態の空気調和機の係止部の拡大斜視図。
【図６】図５に示す係止部の右側の側面図。
【図７】実施形態の空気調和機の係止部を被取付部材の開口部に係止する方法を説明するための模式図。
【図８】実施形態の空気調和機の化粧部材を被取付部材に取り付ける方法を説明するための模式図。
【図９】図８（ｃ）におけるＡ−Ａ断面図。
【図１０】図９における破線で囲まれたＢ部の拡大図。
【図１１】実施形態の空気調和機における係止部が被取付部材の開口部に係止した状態を示す斜視図。
【発明を実施するための形態】
【００１１】
以下、添付図面を参照しながら本発明の実施の形態について説明する。説明の理解を容易にするため、各図面において同一の構成要素に対しては可能な限り同一の符号を付して、重複する説明は省略する。
【００１２】
図１は、実施形態の空気調和機５を設置した浴室１の斜視図である。
【００１３】
図１に示すように、空気調和機５は、例えば浴室１の天井３に設置される。なお、空気調和機５は、浴室の天井以外の天井に設置されてもよい。
【００１４】
図２は、図１に示す空気調和機５の表側の斜視図である。図２は、浴室１の室内から天井３を見た斜視図である。  
図３は、図１に示す空気調和機５の裏側の斜視図である。図３は、天井３の裏側の斜視図である。
【００１５】
図２、図３に示すように、空気調和機５は、空気調和機本体７、化粧部材９、および被取付部材１１を有している。
【００１６】
図３に示すように、空気調和機本体７は、吸排気装置１３を有する。また、図２に示すように、空気調和機本体７は、吸排気装置１３が浴室１内に露出するのを防ぐための被覆板１５を有する。吸排気装置１３は、浴室１内の空気吸引および浴室１内への空気排出を行うためのファン（図示省略）と、ファンを回転させるためのモーター（図示省略）を備えている。
【００１７】
図４は、化粧部材９および被取付部材１１の分解斜視図である。また、図４には、天井３の一部（空気調和機５が取り付けられる部分）も示している。
【００１８】
化粧部材９は四角形（例えば矩形）の枠状に構成され、浴室１の室内側から見て、天井３の開口２９の周縁部３１を隠蔽する。したがって、図２に示すように、化粧部材９の一部は浴室１の室内側に露出している。
【００１９】
被取付部材１１も四角形（例えば矩形）の枠状に構成され、図示しないネジ等よって天井３の裏側に固定されている。図３に示す空気調和機本体７は、被取付部材１１に図示しないネジによって固定されている。化粧部材９は、後述するように、被取付部材１１に係止固定されている。
【００２０】
化粧部材９の裏面側に複数の係止部１７が設けられ、これら複数の係止部１７も含めた化粧部材９は樹脂（例えばポリプロピレン）で一体的に成形されている。係止部１７は、化粧部材９の裏面側から上方に突出するように設けられている。
【００２１】
例えば、四角い枠状の化粧部材９が有する４つの辺部のうちの平行な２辺部のそれぞれに３個の係止部１７が設けられている。３個の係止部１７のうちの２個の係止部１７は辺部の延在方向の両端に位置し、残りの１個の係止部１７は辺部の中央に位置する。
【００２２】
被取付部材１１は、化粧部材９の係止部１７が係止される開口部１９を有している。係止部１７の数に対応する例えば６個の開口部１９が、係止部１７の位置および間隔に対応して形成されている。
【００２３】
天井３には開口２９が設けられており、被取付部材１１は、この開口２９の周縁部３１に沿うようにして、図示しないネジ等によって天井３の裏面側に固定される。天井３に固定された状態で、被取付部材１１に形成された開口部１９は天井３の開口２９に露出する。そして、後述するように、化粧部材９の係止部１７を、天井３の開口２９を通して、被取付部材１１の開口部１９に係止させる。
【００２４】
図５は、係止部１７の拡大斜視図であり、図４における破線で囲まれたＡ部の拡大図に対応する。
【００２５】
１つの係止部１７は、一対の脚部２３と、一対の膨出部２１とを有する。これら脚部２３および膨出部２１は、樹脂で一体に成形されている。一対の脚部２３は、枠状の化粧部材９の外周方向（１つの辺部の延在方向）に沿って離間して相対している（向き合っている）。一対の膨出部２１も同様に、化粧部材９の外周方向に沿って離間して相対している（向き合っている）。
【００２６】
脚部２３は化粧部材９の裏面から上方に延びている。膨出部２１は、係止部１７の上方側の先端部に設けられている。脚部２３は、膨出部２１と化粧部材９の裏面との間に設けられ、膨出部２１と化粧部材９の裏面とを一体に繋いでいる。
【００２７】
膨出部２１は脚部２３よりも外方に膨出している。ここで、外方は、一対の膨出部２１（一対の脚部２３）が互いに向き合う側の反対側を表す。また、２つの膨出部２１は、対応する１つの開口部１９に係止されるものであって、複数の膨出部２１は、係止部１７を開口部１９に係止させた状態において、開口部１９の外方に向かって膨出するよう構成されている。このように互いに外方に膨出する複数の膨出部２１の外面は、脚部２３の外面よりも外方に位置する。
【００２８】
脚部２３は高さ方向の略中央で屈曲している。一対の脚部２３において、屈曲部よりも下方（根元側）の下部の間隔は、屈曲部よりも上方の上部の間隔よりも小さい。脚部２３の上部が、下部から外方に向けて折れ曲がっている。
【００２９】
膨出部２１の下面と、脚部２３の外面との間に、略直角のコーナーが形成されている。
【００３０】
脚部２３は弾性を有しており、膨出部２１に外力が加わったときに弾性変形する板ばねのように機能する。
【００３１】
係止部１７は、一対の膨出部２１どうしの離間距離が小さい小離間状態と、一対の膨出部２１どうしの離間距離が小離間状態よりも大きい大離間状態とを取り得る。ここで、離間距離は、一対の膨出部２１の内面または外面における同じ高さに位置する任意の箇所の間の距離を表す。
【００３２】
後述する図７（ａ）は、膨出部２１に外力が加わっていない無負荷状態（自然状態）を表し、その無負荷状態では一対の膨出部２１は小離間状態となる。図７（ｄ）は、膨出部２１が被取付部材１１の開口部１９に係止された係止状態を表し、その係止状態では一対の膨出部２１は大離間状態となる。
【００３３】
図５に示すように、係止部１７には、離間距離維持部材として、連結具２７が設けられている。連結具２７は、開口部１９に係止されている一対の膨出部２１の離間距離が変わらないように一対の膨出部２１を連結し、大離間状態を維持する。
【００３４】
連結具２７は、一対の膨出部２１のうちいずれか一方の膨出部２１と一体に成形されている。すなわち、連結具２７は、係止部１７と同じ樹脂材料で一体に成形されている。または、連結具２７は、係止部１７とは別体に構成してもよい。
【００３５】
図５に示す例では、連結具２７は一方（右方）の膨出部２１の上端部（先端部）に対して薄肉部を介して一体に設けられ、その薄肉部を支点（中心軸）にして、一対の膨出部２１を連結する第１の状態と、一対の膨出部２１を連結していない第２の状態とを選択可能に可動する。
【００３６】
連結部２７の先端部には、鉤状（フック状）の掛止部２８が設けられている。一対の膨出部２１のうち、連結部２７と一体結合していない方の膨出部２１の上端部（先端部）にも、鉤状（フック状）の掛止部２２が設けられている。
【００３７】
後述する図７（ｄ）に示すように、連結部２７の掛止部２８と、膨出部２１の掛止部２２とが引っ掛かり合うことで、連結部２７は、一対の膨出部２１どうしを連結する第１の状態をとる。
【００３８】
図６は、図５に示す係止部１７の右側の側面図である。
【００３９】
係止部１７が被取付部材１１の開口部１９に係止された状態で、膨出部２１の下面２１１は、被取付部材１１における開口部１９周縁の上面に当接する。図６に示す破線は、その被取付部材１１の上面の位置を表す。
【００４０】
図６において、係止部１７の右側が枠状の被取付部材１１および同じく枠状の化粧部材９の内方側であり、左側が被取付部材１１および化粧部材９の外方側である。膨出部２１をその外面側から見た側面視において、膨出部２１の下面２１１は被取付部材１１の上面（破線）に対して傾斜しており、膨出部２１の下面２１１における内方側の部分２１１ｂは、外方側の部分２１１ａよりも下方に位置する。被取付部材１１の上面に対する、膨出部２１の下面２１１の傾斜角度は、例えば１°以下である。この下面２１１の傾斜は、化粧部材９を射出成形で一体的に成型する場合などに必ず発生する抜き勾配によって形成すると、成型後に傾斜を設けるための後加工を施す必要がなくなるため、製造コストを抑えることができる。また、このような方法で下面２１１に傾斜を形成する場合、金型から成型品を抜く際の抜きやすさを踏まえ、下面２１１の傾斜角度を０．５°以上に設定することが好ましい。
【００４１】
図７（ａ）〜（ｄ）は、化粧部材９の係止部１７を、被取付部材１１の開口部１９に係止する方法を説明するための模式図である。
【００４２】
図７（ａ）は、膨出部２１を開口部１９に挿入する前の状態を示す。  
図７（ｂ）は、膨出部２１を開口部１９に挿入している最中の様子を示す。  
図７（ｃ）は、膨出部２１を開口部１９に挿入した後の状態を示す。  
図７（ｄ）は、開口部１９に係止した２つの膨出部２１が連結具２７で連結された状態を示す。
【００４３】
図７（ａ）に示すように、開口部１９に挿入される前、連結具２７は２つの膨出部２１を連結していない第２の状態をとる。２つの膨出部２１は、外力を受けず、また連結具２７による拘束を受けず、無負荷状態で小離間状態をとる。
【００４４】
続いて、図７（ｂ）に示すように、２つの膨出部２１を開口部１９に挿入していく。開口部１９は、図４に示すように被取付部材１１の枠に沿った方向（外周方向）に長辺をもつ矩形状に形成されている。膨出部２１が開口部１９の奥側（図７（ｂ）における上方）へと挿入されるにしたがい、膨出部２１における下部の外面が、矩形状の開口部１９の短辺側の縁に当接する。
【００４５】
膨出部２１の外面が開口部１９の縁に当たることによるガイド作用を受けながら、膨出部２１はさらに開口部１９の奥へと挿入されていく。このとき、脚部２３が弾性変形することで、２つの膨出部２１の離間距離は無負荷状態よりもわずかに小さくなる。
【００４６】
そして、図７（ｃ）に示すように、膨出部２１の下面２１１が開口部１９に入り込むと、膨出部２１の下面２１１が被取付部材１１の上面に乗り上がり、２つの膨出部２１の離間距離が大きくなるよう例えば作業者が２つの膨出部２１に力を加えることで、図７（ｄ）および図１１に示すように、膨出部２１の下面２１１と脚部２３との間のコーナー部が、開口部１９における短辺側の縁に引っ掛かる。
【００４７】
そして、連結具２７を、一方の膨出部２１との結合部を支点に回動させ、連結具２７の掛止部２８を他方の膨出部２１の掛止部２２に引っ掛ける。連結具２７は、２つの膨出部２１を連結した第１の状態をとる。
【００４８】
２つの膨出部２１が開口部１９に係止された図７（ｄ）に示す状態で、２つの膨出部２１の離間距離は開口部１９に挿入前の小離間距離よりも広がり、大離間距離をとる。脚部２３の弾性が、このような２つの膨出部２１の離間距離の広がりを許容する。連結具２７は、２つの膨出部２１の大離間距離を維持する。
【００４９】
図８（ａ）〜（ｃ）は、化粧部材９を被取付部材１１に取り付ける方法を説明するための模式図である。
【００５０】
図８（ａ）は、化粧部材９の係止部１７を、被取付部材１１の開口部１９に挿入する前の状態を示す。  
図８（ｂ）は、化粧部材９に設けられた複数の係止部１７を、それぞれ対応する開口部１９に挿入した後の状態を示す。  
図８（ｃ）は、開口部１９に挿入されたそれぞれの係止部１７における２つの膨出部２１を連結具２７で連結した状態を示す。
【００５１】
図８（ａ）〜（ｃ）に示す順序によって、化粧部材９に設けられた全ての係止部１７を、それぞれ対応する開口部１９に係止させることで、予め天井開口２９の周縁部３１にネジ等によって固定された被取付部材１１に対して化粧部材９を係止固定することができる。
【００５２】
被取付部材１１の天井３への固定作業、図７（ａ）〜（ｄ）および図８（ａ）〜（ｃ）に示す作業は、天井３を浴室１の上部に組み付ける前に行われる。したがって、膨出部２１の開口部１９への挿入作業、および連結具２７による２つの膨出部２１の連結作業を、作業者の手元で行うことができる。
【００５３】
図９は、図８（ｃ）におけるＡ−Ａ断面図である。  
図１０は、図９における破線で囲まれたＢ部の拡大図である。  
図１１は、化粧部材９の係止部１７が、被取付部材１１の開口部１９に係止した状態を示す斜視図である。
【００５４】
図１０、図１１に示すように、天井３および被取付部材１１は、係止部１７の膨出部２１と、化粧部材９の周縁部（フランジ部）１２によって挟持される。
【００５５】
枠状の化粧部材９の周縁部１２は、天井開口２９の周縁における天井３の表面に押し当たっている。その周縁部１２の下面は、天井開口２９の縁を隠す化粧面として機能する。
【００５６】
係止部１７は、化粧部材９の周縁部１２よりも内方側であって、かつ周縁部１２寄りの位置（周縁部１２の近傍）に設けられている。図７（ｄ）および図１１に示すように、膨出部２１の下面２１１の少なくとも一部（下面２１１と外面とのコーナー近くの部分）が、被取付部材１１の上面に押し当たっている。
【００５７】
したがって、化粧部材９の周縁部１２と、膨出部２１の下面２１１とで、天井３および被取付部材１１を挟み込んでいる。周縁部１２の弾性変形による復元力が、膨出部２１と周縁部１２との間で天井３および被取付部材１１を挟み込む力を与える。
【００５８】
このように、化粧部材９が天井３および被取付部材１１を挟持する構造は、ファンの回転や、ファンを回転させるモーターの駆動等により空気調和機本体７が振動しても、化粧部材９の周縁部１２の上下方向のがたつきを抑え、騒音の発生を抑制することができる。
【００５９】
実施形態によれば、１つの係止部１７につき２つの膨出部２１を開口部１９に挿入する際、図７（ａ）に示すように予め２つの膨出部２１を小離間状態にしておくことにより、膨出部２１を開口部１９に挿入しやすくできる。
【００６０】
さらに、膨出部２１を開口部１９に挿入した後には、図７（ｄ）に示すように、２つの膨出部２１を小離間状態から大離間状態へ変化させ、連結具２７によって大離間状態を維持させることで、膨出部２１の開口部１９周縁へのかかり代を大きくすることができる。膨出部２１の下面２１１と脚部２３との間のコーナー部が開口部１９の縁に当たるよう、膨出部２１を開口部１９周縁に深く引っ掛けることができる。このため、浴室１の室内側に露出している化粧部材２に不意に下方に大きな外力が加わったとしても、膨出部２１を開口部１９から抜けづらくすることができる。
【００６１】
したがって、実施形態によれば、化粧部材９を被取付部材１１に取り付ける際の作業性を良好にしながらも、取り付けた後は化粧部材９を外れづらくすることができる。
【００６２】
また、２つの膨出部２１を連結具２７によって連結するという簡単な構成によって、開口部１９への係止状態で２つの膨出部２１の離間距離が狭まることによる膨出部２１の開口部１９からの抜けを防ぐことができる。
【００６３】
その連結具２７は膨出部２１と一体に成形されているため、２つの膨出部２１を連結する際に、連結具２７が落下したり、連結具２７を紛失するおそれがないため、作業性を向上させることができる。部品管理も容易になる。
【００６４】
また、膨出部２１に対して重力以外の外力が働かない無負荷状態では、２つの膨出部２１は小離間状態となるため、膨出部２１を開口部１９に挿入する際に、大離間状態から小離間状態へ変化させる手間がない。これは、化粧部材９を被取付部材１１に取り付ける際の作業性をより向上させる。
【００６５】
また、実施形態によれば、図６、図１０に示すように、膨出部２１の下面２１１における化粧部材９の内方側の部分２１１ｂを、化粧部材９の外方側の部分２１１ａよりも下方に位置させている。より具体的には、膨出部２１の下面２１１を、化粧部材９の外周方向に対して直交する方向において、化粧部材９の外方側から内方側へ下降傾斜するよう構成している。したがって、内方側の部分２１１ｂの方が、外方側の部分２１１ａよりも被取付部材１１の上面に対する押圧力が高くなる。外方側の部分２１１ａは、被取付部材１１の上面から浮いている、または、内方側の部分２１１ｂよりも弱い力で接している。
【００６６】
このような構成は、図１０に示すように、天井３および被取付部材１１を、化粧部材９の周縁部１２と膨出部２１とによって挟持している状態において、膨出部２１の下面２１１における周縁部１２により近い外方側部分２１１ａへの応力集中を緩和し、脚部２３に対して、化粧部材９の外方側から内方側へ向かって（図１１においては紙面奥側から手前側へ向かって）、より均一に引張応力を生じさせる。このような脚部２３にかかる応力の均等化は、脚部２３の破損を防止し、また脚部２３の寿命を長くする。
【００６７】
以上、具体例を参照しつつ本発明の実施形態について説明した。しかし、本発明は、それらに限定されるものではなく、本発明の技術的思想に基づいて種々の変形が可能である。
【００６８】
１つの係止部１７あたりに複数設けられる膨出部２１は２つに限らない。１つの係止部１７あたり、複数の膨出部を周方向に所定間隔で設けてもよい。この場合、例えば複数の膨出部のそれぞれを開口部の外方へ押し広げることで、複数の膨出部の離間距離を大きくし、その大離間状態を維持できるようにすれば良い。
【符号の説明】
【００６９】
１…浴室、３…天井、５…空気調和機、７…空気調和機本体、９…化粧部材、１１…被取付部材、１２…化粧部材の周縁部、１７…係止部、１９…開口部、２１…膨出部、２３…脚部、２７…連結具、２９…天井の開口、２１１…膨出部の下面、２１１ａ…膨出部の下面の外方側部分、２１１ｂ…膨出部の下面の内方側部分
【図１】
2018031555.tif 000003
【図２】
2018031555.tif 000004
【図３】
2018031555.tif 000005
【図４】
2018031555.tif 000006
【図５】
2018031555.tif 000007
【図６】
2018031555.tif 000008
【図７】
2018031555.tif 000009
【図８】
2018031555.tif 000010
【図９】
2018031555.tif 000011
【図１０】
2018031555.tif 000012
【図１１】
2018031555.tif 000013